(57)【要約】【課題】漏電遮断器の誤作動を防止すること。【解決手段】モータ起動用回路９は、冷蔵庫用コンプレッサ３を駆動する単相誘導モータ３であって、起動用コイル４および主コイル５を有する単相誘導モータ３の起動時に用いられる。また、このモータ起動用回路９は、漏電遮断器８を介して商用電源７と接続可能であって、漏電遮断器８を介して商用電源７から、起動用コイル４の一方端および主コイル５の一方端への通電経路を接続もしくは遮断する第一リレー１０を備えている。また、起動用コイル４の他方端にはサーミスタ１２の一方端が接続されている。モータ起動用回路９は、サーミスタ１２の他方端および主コイル５の他方端から、漏電遮断器８を介して商用電源７への通電経路を接続もしくは遮断する第二リレー１１と、を備えている。ここで、冷蔵庫内が第一温度まで低下すると、第一リレー１０および第二リレー１１はそれぞれの通電経路を実質的に同時に遮断する。【選択図】図１
2014185817.tif 000002
【特許請求の範囲】
【請求項１】
冷蔵庫用コンプレッサを駆動するモータであって、起動用コイルおよび主コイルを有するモータの起動時に用いられ、漏電遮断器を介して商用電源と接続可能なモータ起動用回路であって、
前記漏電遮断器を介して前記商用電源と、前記起動用コイルの一方端および前記主コイルの一方端との間の通電経路を接続もしくは遮断する第一スイッチ手段と、
前記起動用コイルの他方端にはサーミスタの一方端が接続されており、該サーミスタの他方端および前記主コイルの他方端と、前記漏電遮断器を介して前記商用電源との間の通電経路を接続もしくは遮断する第二スイッチ手段と、を備え、
冷蔵庫内が予め定められた第一温度まで低下すると、前記第一スイッチ手段および前記第二スイッチ手段はそれぞれの通電経路を実質的に同時に遮断する、モータ起動用回路。
【請求項２】
前記サーミスタを内部に含む、請求項１に記載のモータ起動用回路。
【請求項３】
前記冷蔵庫が、前記第一温度になると通電経路を遮断し、該第一温度よりも高い第二温度になる通電経路を接続するサーモスタットを備え、
前記サーモスタットが通電経路を遮断すると、前記第一スイッチ手段および前記第二スイッチ手段は、それぞれの通電経路を実質的に同時に遮断する、請求項１または２に記載のモータ起動用回路。
【請求項４】
前記第一スイッチ手段および前記第二スイッチ手段はそれぞれ、前記第一温度になると通電経路を遮断し、該第一温度よりも高い第二温度になる通電経路を接続するサーモスタットである、請求項１または２に記載のモータ起動用回路。
【発明の詳細な説明】
【技術分野】
【０００１】
本発明は、コンプレッサ駆動用のモータを起動するモータ起動用回路に関する。
【背景技術】
【０００２】
従来、この種のモータ起動用回路は、例えば下記特許文献１に記載の通り、冷蔵庫に備わるコンプレッサの起動用に用いられている。具体的には、図５に示すように、冷蔵庫１００は、漏電遮断器１０２を介して商用電源１０４と接続されている。この冷蔵庫１００に備わるコンプレッサ１０６を駆動するための単相誘導モータ１０８の起動用に、正の温度特性を有するサーミスタ１１０が、起動用コイル１１２と直列に接続されている。このサーミスタ１１０が冷えた状態でサーモスタット１１６が閉じられると、サーミスタ１１０の抵抗値が小さいため、主コイル１１４だけでなく起動用コイル１１２にも電流が流れる。これにより、コンプレッサ１０６が起動する。
【０００３】
サーミスタ１１０は起動時に自身に流れる電流により発熱し、サーミスタ１１０の抵抗値は急激に大きくなる。その結果、起動用コイル１１２への通電が遮断され、主コイル１１４のみに電流が流れる。以降、主コイル１１４への電流供給のみで単相誘導モータ１０８が回転し続ける。
【０００４】
また、コンプレッサ１０６においては、例えば主コイル１１４の被覆の絶縁性劣化等により漏電が起こる場合がある。漏電遮断器１０２は、Ｌ（ライブ）端子の電流値ＩLと、Ｎ（ニュートラル）端子に流れる電流値ＩNとの差｜ΔＩ｜を監視しており、電流差｜ΔＩ｜が所定の設定値Ｉth（例えば１５ｍＡ）以上となると、漏電が発生しているとして、商用電源１０４からの電力供給を遮断する。
【先行技術文献】
【特許文献】
【０００５】
【特許文献１】特開昭５４−７９８６３号公報
【発明の概要】
【発明が解決しようとする課題】
【０００６】
しかしながら、従来のモータ起動用回路では、図６に示すように、温度低下によりサーモスタット１１６をオープンにしてコンプレッサ１０６を停止させると、単相誘導モータ１０８に発生する逆起電力によりＮ端子側に電流が流れ、漏電遮断器１０２が誤作動する場合があるという問題点があった。
【０００７】
それゆえに、本発明の目的は、漏電遮断器の誤作動を防止可能なモータ起動用回路を提供することである。
【課題を解決するための手段】
【０００８】
上記目的を達成するために、本発明の一局面は、冷蔵庫用コンプレッサを駆動するモータであって、起動用コイルおよび主コイルを有するモータの起動時に用いられ、漏電遮断器を介して商用電源と接続可能なモータ起動用回路であって、前記漏電遮断器を介して前記商用電源から、前記起動用コイルの一方端および前記主コイルの一方端への通電経路を接続もしくは遮断する第一スイッチ手段と、前記起動用コイルの他方端にはサーミスタの一方端が接続されており、該サーミスタの他方端および前記主コイルの他方端から、前記漏電遮断器を介して前記商用電源への通電経路を接続もしくは遮断する第二スイッチ手段と、を備え、冷蔵庫内が予め定められた第一温度まで低下すると、前記第一スイッチ手段および前記第二スイッチ手段はそれぞれの通電経路を実質的に同時に遮断する。
【発明の効果】
【０００９】
上記局面によれば、漏電遮断器の誤作動を防止することが可能となる。
【図面の簡単な説明】
【００１０】
【図１】第一実施形態に係るモータ起動用回路の構成を示す図である。
【図２】第二実施形態に係るモータ起動用回路の構成を示す図である。
【図３】第三実施形態に係るモータ起動用回路の構成を示す図である。
【図４】第四実施形態に係るモータ起動用回路の構成を示す図である。
【図５】従来のモータ起動用回路の構成を示す図である。
【図６】図５のモータ起動用回路の問題点を示す図である。
【発明を実施するための形態】
【００１１】
（はじめに）
本件発明者は、図６のモータ起動用回路で、サーモスタット１１６をオープンにしてコンプレッサ１０６を停止させた時に漏電遮断器１０２がなぜ誤作動するのかを、実験を繰り返して調査した。実験の結果、下記（１）のことが分かった。
【００１２】
（１）周知の通り、単相誘導モータ１０８を回転させると、逆起電力により、該モータ１０８に電流が発生する。コンプレッサ１０６を停止させると（つまり、サーモスタット１１６がオープンになると）、モータ１０８には、逆起電力により過渡的に電圧が発生する。この過渡的な電圧が電源電圧（ＡＣ１００Ｖ）に加わる。また、サーモスタット１１６がオープンであるため、Ｌ端子に流れる電流値ＩLがゼロとなるため、それらの電流差｜ΔＩ｜が設定値Ｉth以上となりやすくなる。その結果、漏電遮断器１０２が動作してしまう。
【００１３】
上記の実験結果を踏まえ、本件発明者は、以下、第一乃至第四実施形態に係るモータ起動用回路を想到するに至った。
【００１４】
（第一実施形態）
まず、第一実施形態に係るモータ起動用回路について詳説する。
【００１５】
（構成）
図１において、冷蔵庫１は、冷凍サイクルを構成するコンプレッサ２を備えている。このコンプレッサ２には、単相誘導モータ３が備わる。この単相誘導モータ３は、該モータ３の始動時にのみ通電する起動用コイル４と、該モータ３の起動中に通電する主コイル５と、を含んでいる。
【００１６】
また、冷蔵庫１には、このコンプレッサ２の動作／停止を切り替えるためのサーモスタット６が設けられている。このサーモスタット６は、冷蔵庫１が冷えていない間には（つまり、周囲温度が非低温時には）閉じており、通電経路を接続する。それに対し、冷蔵庫１が十分に冷えると（つまり、周囲温度が低温時には）開放して、通電経路を遮断する。
【００１７】
また、冷蔵庫１が設置される空間（典型的にはキッチン）には、商用電源７が引き込まれている。この商用電源７には、漏電遮断器８が取り付けられている。ここで、漏電遮断器８は、宅内に設置されている所謂ブレーカーであっても良いし、コンセントに差し込み可能なプラグ形漏電遮断器であっても良い。
【００１８】
また、単相誘導モータ３にはモータ起動用回路９が取り付けられており、漏電遮断器８と、該モータ３とに電気的に接続される。モータ起動用回路９は、第一端子Ｔ1乃至第七端子Ｔ7を備えている。
【００１９】
端子Ｔ1は商用電源７のＬ端子と、端子Ｔ2は商用電源７のＮ端子と、漏電遮断器８を介して接続される。また、端子Ｔ3は、起動用コイル４の一方端および主コイル５の一方端のそれぞれと電気的に接続される。端子Ｔ4は起動用コイル４の他方端と、端子Ｔ5は主コイル５の他方端と、電気的に接続される。端子Ｔ6はサーモスタット６の一方端と、端子Ｔ7はその他方端と、電気的に接続される。
【００２０】
モータ起動用回路９はさらに、第一スイッチ手段の一例としての第一リレー１０と、第二スイッチ手段の一例としての第二リレー１１と、正の温度特性を有するサーミスタ（ＰＴＣサーミスタ）１２と、を備えている。
【００２１】
リレー１０は、スイッチ（接点）１０ａと、コイル１０ｂと、を備えている。スイッチ１０ａの一方端は端子Ｔ1と、その他方端は端子Ｔ3と、電気的に接続されている。コイル１０ｂは、端子Ｔ1と端子Ｔ6との間に設けられている。コイル１０ｂに電流が流れている場合には、スイッチ１０ａは閉じた状態を維持して、商用電源７と、起動用コイル４の一方端および主コイル５の一方端との間の通電経路を接続する。逆に、コイル１０ｂへの通電を遮断すると、スイッチ１０ａは開いて、この通電経路を遮断する。
【００２２】
リレー１１は、スイッチ（接点）１１ａと、コイル１１ｂと、を備えている。スイッチ１１ａの一方端は、サーミスタ１２の他方端および端子Ｔ5のそれぞれと電気的に接続される。また、スイッチ１１ａの他方端は、端子Ｔ2と電気的に接続される。コイル１１ｂは、端子Ｔ2と端子Ｔ7の間に設けられている。コイル１１ｂに電流が流れている場合には、スイッチ１１ａは閉じた状態を維持して、サーミスタ１２の他方端および主コイル５の他方端と、商用電源７との間の通電経路を接続する。逆に、コイル１１ｂへの通電を遮断すると、スイッチ１１ａは開いて、この通電経路を遮断する。
【００２３】
サーミスタ１２の一方端は端子Ｔ4と、その他方端はスイッチ１１ａの一方端と、電気的に接続され、これによって、サーミスタ１２は起動用コイル４と直列に接続される。
【００２４】
（動作）
以上のような構成のモータ起動用回路９は、以下のように動作する。冷蔵庫１の庫内温度が第二温度ＴBを超えて高くなると、庫内温度を下げるために、サーモスタット６が閉じる。ここで、サーモスタット６が閉じる前、スイッチ１０ａ，１１ａは共に開いた状態にある。そして、サーモスタット６が閉じると、商用電源７から供給された電流が漏電遮断器８を介してコイル１０ｂ，１１ｂに流れるため、スイッチ１０ａ，１１ａが閉じる。それによって、コンプレッサ１０６にも電流が供給される。
【００２５】
サーモスタット６が閉じる前、サーミスタ１２の抵抗値は相対的に小さい。よって、コンプレッサ１０６の起動用コイル４および主コイル５の両方に電流が流れる。これにより、単相誘導モータ３が回転し始め、コンプレッサ１０６が始動する。
【００２６】
サーミスタ１２に電流が流れると、サーミスタ１２は発熱する。その結果、サーミスタ１２の抵抗値は急激に大きくなるため、起動用コイル４への通電が遮断され、主コイル５のみに電流が流れる。以降、主コイル５への電流供給のみで単相誘導モータ３が回転し続ける。
【００２７】
コンプレッサ２の駆動により、冷蔵庫１の庫内温度は徐々に下がり、冷蔵庫１の庫内が十分に冷えて第一温度ＴA（ＴA＜ＴB）を下回ると、サーモスタット６がオープンになる。これにより、コイル１０ｂ，１１ｂへの通電が遮断されるため、スイッチ１０ａ，１１ａが同時に開く。これにより、単相誘導モータ３への通電も遮断されるため、コンプレッサ１０６が停止する。
【００２８】
ところで、コンプレッサ２においては、例えば主コイル５等の被覆の絶縁性劣化等により漏電が起こる場合がある。漏電遮断器８は、Ｌ端子の電流値ＩLと、Ｎ端子に流れる電流値ＩNとの差｜ΔＩ｜を監視しており、電流差ΔＩが所定の設定値Ｉth（例えば１５ｍＡ）以上となると、商用電源７からの電力供給を遮断する。
【００２９】
（作用・効果）
従来のモータ起動用回路（図６を参照）の場合、前述の通り、コンプレッサ１０６を停止させた場合、逆起電力に起因して漏電遮断器１０２が動作する可能性があった。
【００３０】
それに対し、図１のモータ起動用回路９によれば、サーモスタット６がオープンになると、スイッチ１０ａ，１１ａが同時に開く。その結果、電流値ＩLも電流値ＩNもゼロとなり、電流差｜ΔＩ｜が設定値Ｉth以上になることを防止できる。よって、逆起電力に起因する漏電遮断器８の誤作動を防止することができる。
【００３１】
また、本モータ起動用回路９によれば、単相誘導モータ３の駆動には数アンペアレベルの大電流が必要となるが、サーモスタット６には小さな電流（数ｍＡ程度）しか流れない。それゆえ、モータ起動用回路９には、小型のサーモスタット６を用いることが可能となる。
【００３２】
また、本モータ起動用回路９によれば、リレー１０，１１およびサーミスタ１２は同一筐体内に収容される。これにより、冷蔵庫の製造者が容易に取り扱え、使い勝手が良いモータ起動用回路９を提供することが可能となる。
【００３３】
（付記）
上記モータ起動用回路９は、リレー１０，１１により、コンプレッサ２への通電を制御していた。しかし、これに限らず、トランジスタ、サイリスタまたはトライアック等、他のスイッチ手段により、コンプレッサ２への通電が制御されても構わない。また、スイッチ手段のオン／オフは、マイコンにより制御されても構わない。なお、この点に関しては、第二実施形態以降にも同様に当てはまる。
【００３４】
また、上記では、モータ起動用回路９は、第一スイッチ手段の一例としての第一リレー１０と、第二スイッチ手段の一例としての第二リレー１１と、を備えるとして説明した。しかし、これに限らず、モータ起動用回路９において、二個のリレー１０，１１は、下記のような一つのリレーユニットに置換されても構わない。このリレーユニットは、第一スイッチ手段および第二スイッチ手段としての複数の接点ペアと、これら接点ペアを駆動する少なくとも一つのコイルと、を備えている。
【００３５】
（第二実施形態）
次に、第二実施形態に係るモータ起動用回路について説明する。
【００３６】
図２において、冷蔵庫１は、図１のそれと比較すると、サーモスタット６に代えてサーモスタット６Ａを備えている点で相違する。他にも、図２の単相誘導モータ３には、図１のモータ起動用回路９に代えてモータ起動用回路９Ａが取り付けられている点で相違する。上記以外に相違点は無い。それゆえ、図２において、図１の構成に相当するものには同一符号を付け、それぞれの説明を省略する。以下、相違点について詳説する。
【００３７】
サーモスタット６Ａの一方端は、漏電遮断器８を介して商用電源７のＬ端子と接続される。また、サーモスタット６Ａの他方端は、モータ起動用回路９Ａの端子Ｔ1と接続される。
【００３８】
また、モータ起動用回路９Ａは、漏電遮断器８と、単相誘導モータ３とに電気的に接続され、第一端子Ｔ1乃至第五端子Ｔ5を備えている。
【００３９】
端子Ｔ1はサーモスタット６Ａの他方端と接続される。他の端子Ｔ2〜Ｔ5は、第一実施形態で説明した通りに接続される。
【００４０】
モータ起動用回路９Ａはさらに、第一実施形態と同様に、第一スイッチ手段の一例としての第一リレー１０と、第二スイッチ手段の一例としての第二リレー１１と、正の温度特性を有するサーミスタ（ＰＴＣサーミスタ）１２と、を備えている。
【００４１】
リレー１０において、スイッチ１０ａの一方端は端子Ｔ1と、その他方端は端子Ｔ3と、電気的に接続されている。また、コイル１０ｂの一方端は端子Ｔ1と、その他方端はコイル１１ｂの一方端と、電気的に接続されている。このようなリレー１０では、コイル１０ｂに電流が流れている場合には、スイッチ１０ａは閉じた状態を維持して、商用電源７と、起動用コイル４の一方端および主コイル５の一方端との間の通電経路を接続する。逆に、コイル１０ｂへの通電を遮断すると、スイッチ１０ａは開いて、この通電経路を遮断する。
【００４２】
リレー１１において、スイッチ１１ａの一方端は、サーミスタ１２の他方端および端子Ｔ5のそれぞれと電気的に接続される。また、スイッチ１１ａの他方端は、端子Ｔ２と電気的に接続される。コイル１１ｂの一方端はコイル１０ｂの他方端と、その他方端は端子Ｔ2と、電気的に接続される。このようなリレー１１では、コイル１１ｂに電流が流れている場合には、スイッチ１１ａは閉じた状態を維持して、サーミスタ１２の他方端および主コイル５の他方端と、商用電源７の通電経路を接続する。逆に、コイル１１ｂへの通電を遮断すると、スイッチ１１ａは開いて、この通電経路を遮断する。
【００４３】
サーミスタ１２は、第一実施形態と同様に、起動用コイル４と直列に接続される。
【００４４】
（動作）
以上のような構成のモータ起動用回路９Ａにおいても、第一実施形態と同様の手順で、コンプレッサ２は始動する。このコンプレッサ２の駆動により、冷蔵庫１の庫内温度は徐々に下がり、冷蔵庫１の庫内が十分に冷えると、サーモスタット６Ａがオープンになる。これにより、コイル１０ｂ，１１ｂへの通電が遮断されるため、スイッチ１０ａ，１１ａが同時に開く。これにより、単相誘導モータ３への通電も遮断されるため、コンプレッサ１０６が停止する。
【００４５】
（作用・効果）
以上説明したように、本モータ起動用回路９Ａでも、サーモスタット６Ａがオープンになると、スイッチ１０ａ，１１ａが同時に開く。その結果、電流値ＩLも電流値ＬNもゼロとなり、電流差｜ΔＩ｜が設定値Ｉth以上になることを防止できる。よって、逆起電力に起因する漏電遮断器８の誤作動を防止することができる。
【００４６】
また、サーモスタット６Ａ自体は、図５の従来のモータ起動用回路のサーモスタット１１６と同様の構成である。このように、モータ起動用回路９によれば、従来との変化点を少なくできるという効果も奏する。
【００４７】
また、上記では、モータ起動用回路９Ａは、第一スイッチ手段の一例としての第一リレー１０を備えるとして説明した。しかし、これに限らず、モータ起動用回路９Ａにおいて、第一リレー１０を取り除いて端子Ｔ1と端子Ｔ3とが直接結線され、コイル１１ｂの一方端が端子Ｔ1，Ｔ3の間に電気的に接続されても構わない。この場合、第一スイッチ手段の一例はサーモスタット６Ａであり、第二スイッチ手段の一例は第二リレー１１となる。なお、この点については、下記の第三実施形態についても同様に当てはまる。
【００４８】
（第三実施形態）
次に、第三実施形態に係るモータ起動用回路について説明する。
【００４９】
図３の単相誘導モータ３には、図２のモータ起動用回路９Ａに代えてモータ起動用回路９Ｂが取り付けられている点で相違する。また、モータ起動用回路９Ｂは、大略的には、図２のモータ起動用回路９Ａと比較すると、サーミスタ１２を構成要素としない点で相違する。上記以外に相違点は無い。それゆえ、図３において、図２の構成に相当するものには同一符号を付け、それぞれの説明を省略する。また、モータ起動用回路９Ｂの動作や作用・効果については、第二実施形態の説明から明らかであるため、それぞれの説明を省略する。
【００５０】
（第四実施形態）
次に、第四実施形態に係るモータ起動用回路について説明する。
【００５１】
（構成）
図４において、冷蔵庫１は、第一実施形態で説明した通り、単相誘導モータ３を有するコンプレッサ２を備えている。単相誘導モータ３は、前述の起動用コイル４および主コイル５を含んでいる。この起動用コイル４には、第一実施形態で説明した通り、サーミスタ１２が直列に接続されている。また、冷蔵庫１の設置空間には、漏電遮断器８が取り付けられた商用電源７が設けられている。
【００５２】
また、上記単相誘導モータ３にはモータ起動用回路９Ｃが取り付けられており、このモータ起動用回路９Ｃは、漏電遮断器８と、該モータ３とに電気的に接続される。モータ起動用回路９Ｃは、第一端子Ｔ1乃至第四端子Ｔ4を備えている。
【００５３】
端子Ｔ1は商用電源７のＬ端子と、端子Ｔ2は商用電源７のＮ端子と、漏電遮断器８を介して接続される。また、端子Ｔ3は、起動用コイル４の一方端および主コイル５の一方端のそれぞれと電気的に接続される。端子Ｔ4は、サーミスタ１２の他方端および主コイル５の他方端のそれぞれと、電気的に接続される。
【００５４】
モータ起動用回路９Ｃはさらに、第一スイッチ手段の一例としての第一サーモスタット１０Ｃと、第二スイッチ手段の一例としての第二サーモスタット１１Ｃと、を備えている。
【００５５】
第一サーモスタット１０Ｃの一方端は端子Ｔ1と、その他方端は端子Ｔ3と、電気的に接続されている。第二サーモスタット１１Ｃの一方端は端子Ｔ2と、その他方端は端子Ｔ4と、電気的に接続される。これらサーモスタット１０Ｃ，１１Ｃはいずれも、冷蔵庫１の庫内が十分に冷えたとみなせる第一温度ＴAで開放して、商用電源７と、起動用コイル４の一方端および主コイル５の一方端との間の通電経路を接続すると共に、サーミスタ１２の他方端および主コイル５の他方端と、商用電源７との間の通電経路を接続する。また、冷蔵庫１の庫内が第二温度ＴB（ＴB＞ＴA）を超えて高くなると閉じて、これら通電経路を遮断する。
【００５６】
（動作）
以上のような構成のモータ起動用回路９Ｃは、以下のように動作する。庫内温度が第二温度ＴBを超えて高くなると、サーモスタット１０Ｃ，１１Ｃが閉じる。これにより、商用電源７から供給された電流が漏電遮断器８を介してコンプレッサ１０６に供給される。
【００５７】
ここで、両サーモスタット１０Ｃ，１１Ｃが閉じる前、サーミスタ１２の抵抗値は相対的に小さいため、起動用コイル４および主コイル５の両方に電流が流れる。これにより、単相誘導モータ３が回転し始め、コンプレッサ２が始動する。
【００５８】
サーミスタ１２に電流が流れると、自己発熱により、サーミスタ１２の抵抗値は急激に大きくなるため、主コイル５のみに電流が流れる。以降、主コイル５への電流供給のみで単相誘導モータ３が回転し続ける。
【００５９】
コンプレッサ２の駆動後、庫内温度が第一温度ＴAよりも小さくなると、両サーモスタット１０Ｃ，１１Ｃがオープンになる。これにより、単相誘導モータ３への通電が遮断されるため、コンプレッサ２が停止する。
【００６０】
（作用・効果）
本モータ起動用回路９Ｃでも、庫内温度が第一温度ＴAを下回ると、両サーモスタット１０Ｃ，１１Ｃが実質的に同時に開く。その結果、電流値ＩLも電流値ＬNもゼロとなり、電流差｜ΔＩ｜が設定値Ｉth以上になることを防止できる。よって、逆起電力に起因する漏電遮断器８の誤作動を防止することができる。
【００６１】
（付記）
第四実施形態では、サーミスタ１２はモータ起動用回路９Ｃの構成でなく、単に起動用コイル４に直列接続されるとして説明した。しかし、これに限らず、サーミスタ１２は、モータ起動用回路９Ｃの構成であっても構わない。
【産業上の利用可能性】
【００６２】
本発明に係るモータ起動用回路は、誤作動を防止可能であり、冷蔵庫のコンプレッサ起動用に好適である。
【符号の説明】
【００６３】
１  冷蔵庫
２  コンプレッサ
３  単相誘導モータ
４  起動用コイル
５  主コイル
６，６Ａ  サーモスタット
７  商用電源
８  漏電遮断器
９，９Ａ〜９Ｃ  モータ起動用回路
１０  第一リレー
１０Ｃ  第一サーモスタット
１１  第二リレー
１１Ｃ  第二サーモスタット
１２  サーミスタ
【図１】
2014185817.tif 000003
【図２】
2014185817.tif 000004
【図３】
2014185817.tif 000005
【図４】
2014185817.tif 000006
【図５】
2014185817.tif 000007
【図６】
2014185817.tif 000008